(57)【要約】【課題】一定必要量の内容物の計量及びその取り出しを行うに当たり、手間が掛からず簡単に計量や取り出しができる計量機能付きパウチを提供する。【解決手段】少なくとも二枚の胴部フィルムと、前記胴部フィルムの周縁に袋頂部、袋底部、および２つの側辺部を形成する封鎖端辺部とを含むパウチであって、一方の側辺部と前記一方の側辺部から他方の側辺部に向かって伸長する仕切シール部とによって画定された計量部と、前記他方の側辺部と前記計量部との間に配置されかつ袋底部から袋頂部に向かって前記仕切シールと交差する方向に伸長する筒部と、前記袋頂部の近傍に配置された線形状のファスナー部と有することを特徴とする。【選択図】図１
2010189010.tif 000002
【特許請求の範囲】
【請求項１】
胴部フィルムと、前記胴部フィルムの周縁に袋頂部、袋底部、および２つの側辺部を形成する封鎖端辺部と、を含むパウチであって、
一方の側辺部と前記一方の側辺部から他方の側辺部に向かって伸長する仕切シール部とによって画定された計量部と、
前記他方の側辺部と前記計量部との間に配置されかつ袋底部から袋頂部に向かって前記仕切シールと交差する方向に伸長する筒部と、
前記袋頂部の近傍に配置された線形状のファスナー部と、有することを特徴とするパウチ。
【請求項２】
前記ファスナー部の端部が、前記封鎖端辺部のうち前記袋頂部と前記一方の側辺部とにおいて前記胴部フィルムと溶着していることを特徴とする請求項１記載のパウチ。
【請求項３】
前記筒部は、前記他方の側辺部に沿って取り付けられていることを特徴とする請求項１または２記載のパウチ。
【請求項４】
前記仕切シール部は、前記袋底部または前記袋頂部に向かって伸長していることを特徴とする請求項１乃至３のいずれか１項記載のパウチ。
【請求項５】
前記仕切シール部は、前記袋底部に向かう湾曲部を有することを特徴とする請求項１乃至３のいずれか１項記載のパウチ。
【請求項６】
前記仕切シール部は、不連続部を有することを特徴とする請求項１乃至５のいずれか１項記載のパウチ。
【請求項７】
前記筒部は、パイプ状に丸めたフィルムからなることを特徴とする請求項１乃至６のいずれか１項記載のパウチ。
【請求項８】
前記筒部の袋頂部側の端部が、楕円状の開口を備え、当該端部先端は、前記計量部側の仕切シール部の近傍にあることを特徴とする請求項１乃至７のいずれか１項記載のパウチ。
【請求項９】
前記袋底部は、前記胴部フィルムの間に折り込まれ、且つ前記胴部フィルムと溶着する底フィルムを含むことを特徴とする請求項１乃至８のいずれか１項記載のパウチ。
【請求項１０】
前記計量部は、計量目盛りを有することを特徴とする請求項１乃至９のいずれか１項記載のパウチ。
【発明の詳細な説明】
【技術分野】
【０００１】
本発明は、計量部を備えたパウチに関する。
【背景技術】
【０００２】
一般に、粉体や粒状体等の固形内容物を包装する包装用袋体としては、予め１回毎の使用量として一定量に計量された内容物を包装するための個包装のパウチ、計量機能付きパウチ、あるいはスタンディング（自立可能）形式の計量機能付きパウチ等が利用されている。
【０００３】
近年は自然や地球環境への関心の高まりから、ゴミや廃棄物の発生を低減させることが求められているが、一定量に計量された内容物をパウチにより個包装する方式では、包装ゴミの発生を低減させることは難しい。
【０００４】
また、１回で使い切れない場合において、個包装パウチ内に、そのまま内容物を保存しておくと、内容物が酸化あるいは湿気などにより変質を生じる。個包装パウチに再密封用のファスナーなどを取り付けることによって、開封された個包装パウチを再密封することは可能である。しかし、内容物を取り出す際に、目分量で計量を行って取り出すため、取り出し量が一定しないということが生じている。そこで、計量機能付きパウチが種々開発されている。
【０００５】
計量機能付きパウチに関する文献としては、例えば、特許文献１〜５のようなパウチがある。
【先行技術文献】
【特許文献】
【０００６】
【特許文献１】特開２００１−１２２３５９号公報
【特許文献２】特開２００１−１２２３６０号公報
【特許文献３】特開２００４−２０３４１４号公報
【特許文献４】特開２００４−２６８９８５号公報
【特許文献５】特開２００４−３０６９８５号公報
【発明の概要】
【発明が解決しようとする課題】
【０００７】
計量機能付きパウチ、特にスタンディングパウチ形式の計量機能付きパウチの場合は、計量作業に複数のステップが必要であり、使用内容物の計量及びその取り出しを行うに当たり、パウチを折り曲げるなど変形させる手間が必要であり、簡単に計量、取り出しを行うことができなかった。そのため、手間が掛からず、シンプルな作業で、計量、取り出しができる計量機能付きパウチが求められている。
【０００８】
そこで、本発明は、計量機能付きパウチ、スタンディングパウチ形式の計量機能付きパウチにおいて、一定必要量の内容物の計量、及びその取り出しを行うに当たり、手間が掛からずシンプルな作業で計量や取り出しができる計量機能付きパウチを提供することにある。
【課題を解決するための手段】
【０００９】
請求項１に係る発明は、胴部フィルムと、前記胴部フィルムの周縁に袋頂部と、袋底部
と、及び２つの側辺部とを形成する封鎖端辺部とを含むパウチであって、一方の側辺部と前記一方の側辺部から他方の側辺部に向かって伸長する仕切シール部と他方の側辺部とによって画定された計量部と、前記他方の側辺部と前記計量部との間に配置されかつ袋底部から袋頂部に向かって前記仕切シールと交差する方向に伸長する筒部と、
前記袋頂部の近傍に配置された線形状のファスナー部と、を有することを特徴とするパウチである。
【００１０】
本発明の請求項２に係る発明は、請求項１に係るパウチにおいて、前記ファスナー部の端部が、前記封鎖端辺部のうち前記袋頂部と前記一方の側辺部とにおいて前記胴部フィルムと溶着していることを特徴とする。
【００１１】
請求項３に係る発明は、請求項１又は２にかかるパウチにおいて、前記筒部は、前記他方の側辺部に沿って取り付けられていることを特徴とする。
【００１２】
請求項４に係る発明は、請求項１乃至３のいずれか１項に係るパウチにおいて、前記仕切シール部は、前記袋底部、または、前記袋頂部に向かって伸長していることを特徴とする。
【００１３】
請求項５に係る発明は、請求項１乃至３のいずれか１項に係るパウチにおいて、前記仕切シール部は、前記袋底部に向かう湾曲部を有することを特徴とする。
【００１４】
請求項６に係る発明は、請求項１乃至５のいずれか１項に係るパウチにおいて、前記仕切シール部は、不連続部を有することを特徴とする。
【００１５】
請求項７に係る発明は、請求項１乃至６のいずれか１項に係るパウチにおいて、前記筒部は、パイプ状に丸めたフィルムからなることを特徴とする。
【００１６】
請求項８に係る発明は、請求項１乃至７のいずれか１項に係るパウチにおいて、前記筒部の袋頂部側の端部が、楕円状の開口を備え、当該端部先端は、前記計量部側の仕切シール部の近傍にあることを特徴とする。
【００１７】
請求項９に係る発明は、請求項１乃至８のいずれか１項に係るパウチにおいて、前記袋底部は、前記胴部フィルムの間に折り込まれ、且つ前記胴部フィルムと溶着する底フィルムを含むことを特徴とする。
【００１８】
請求項１０に係る発明は、請求項１乃至９のいずれか１項に係るパウチにおいて、前記計量部は、計量目盛りを有することを特徴とする。
【発明の効果】
【００１９】
本発明のパウチによれば、パウチ内面を横断方向にシールして形成した仕切シール部を介して、粉体および粒状体等の固形の内容物を充填する収容部と内容物を計量する計量部とが形成され、前記仕切シール部と交差する方向に伸長する筒部を介して該収容部と該計量部とが連通しているため、パウチを頂部と底部とを逆転させて倒立姿勢にすることにより、収容部内に充填されている粉体や粒状体等の固形内容物は、内容物の自重により筒部を通して円滑に落下して、計量部の容量分に相当する所定量の固形内容物を計量部内に送出することができる。
【００２０】
その後、パウチを正立姿勢にすることにより、計量部内に送出された計量部の容量分に相当する内容物は、仕切シール部により受け止められて収容部内に戻ることがなく、前記内容物はパウチが正立姿勢の状態で計量部内にそのまま保持される。そして、ファスナー
部を開口して、計量部にて計量された内容物をパウチの外側に円滑に取り出すことができる。
【００２１】
このように本発明によれば、パウチの姿勢を倒立と正立の１サイクル操作により、収容部内の内容物を一定容量の計量部内に送出して保持することができ、手間の掛からないシンプルな操作により計量、取り出しを行うことが可能となる。また、内容物が大きさ及び密度等が異なる複数の物体からなる場合であっても、１サイクル操作によって混合を促すことができる故、混合比をほぼ一定させて内容物を取り出すことができる。
【図面の簡単な説明】
【００２２】
【図１】（ａ）は本発明のパウチを説明する全体平面図、（ｂ）は本発明のパウチ本体の側断面図である。
【図２】（ａ）は本発明のパウチのスタンディングパウチ形式の全体平面図、（ｂ）は本発明のパウチ本体のスタンディングパウチ形式の側断面図である。
【図３】本発明のパウチの変形例を示す全体平面図である。
【図４】（ａ）から（ｆ）は、発明のパウチの変形例を示す全体平面図である。
【発明を実施するための形態】
【００２３】
本発明のパウチを実施の形態に沿って以下に詳細に説明すれば、図１（ａ）の全体平面図に示すように、本発明のパウチＡは、二枚の胴部フィルム１１、１２の全周囲に、１／２折目や、ヒートシールなどによる頂部封鎖端辺部（袋頂部）１、下部封鎖端辺部（袋底部）２、左封鎖端辺部（他方の側辺部）３、右封鎖端辺部（一方の側辺部）４を備えている。
【００２４】
本発明のパウチＡは、頂部封鎖端辺部１の近傍に配置されたファスナー部を取出し口部とし、下部封鎖端辺部２を底部として備える密封状態となるパウチであり、そのパウチＡの内面を横断する方向（一方の側辺部から他方の側辺部に向かう方向）にヒートシールにて形成した仕切シール部５を備え、該仕切シール部５を介して、内容物Ｃを充填する収容部６と、頂部封鎖端辺部１側に内容物Ｃを計量する一定容量の計量部７とを備えている。計量部７には目盛りが表示されていてもよい。
【００２５】
パウチＡ内は、収容部６と計量部７との二つの中空室に分割され、収容部６内に粉体や粒状体等の固形内容物Ｃが充填包装される。この固形内容物Ｃは、パウチＡが未完成の密封される前（袋の状態）において、頂部封鎖端辺部１、下部封鎖端辺部２、左封鎖端辺部３、右封鎖端辺部４のうちいずれかの端辺部がヒートシールされていない開放されている時点でその開放されている端辺部から収容部６内に充填される。
【００２６】
図１（ａ）に示すように、パウチＡ内には、収容部６及び計量部７と連通しかつ内容物Ｃを送通可能な所定の口径の筒部８が、前記仕切シール部５と交差するように、縦方向（下部封鎖端辺部２から頂部封鎖端辺部１の方向）に配置され、そのパウチＡの胴部フィルム１１、１２の内面に、融着又はシール等により固定状態に取り付けられている。
【００２７】
このように収容部６内と計量部７内とは筒部８を介して連通し、収容部６内から前記筒部８を通して、計量部７内に送出された内容物を、前記頂部封鎖端辺部１側の取出し口部から取り出しできるようになっている。
【００２８】
本発明のパウチＡにおいては、図１（ａ）の平面図、図１（ｂ）の概略側断面図に示すように、下部封鎖端辺部２側にある底部は、パウチＡ本体を構成する二枚の胴部フィルム１１、１２の一端部をヒートシールして形成される偏平な封鎖端辺部２、又は１／２折による胴部フィルム１１、１２の１／２折目による封鎖端辺部２、又はその１／２折目を所定幅にてヒートシールして形成される偏平な封鎖端辺部２となっていてもよい。
【００２９】
また、本発明のパウチＡにおいては、図２（ａ）の平面図、図２（ｂ）の概略側断面図に示すように、下部封鎖端辺部２側にある底部は、パウチＡ本体を構成する二枚の胴部フィルム１１、１２の下部封鎖端辺部２側の包材１１、１２の重ね合わせ間に１／２折りした折目１３ａを備える小片の底フィルム１３を、その折目１３ａを頂部封鎖端辺部１の方向に向けて挟み込むように介在させ、その折目１３ａと相対する前記底部形成用の二枚重ねフィルム１３の端縁１３ｂを包材１１、１２の下部封鎖端辺部２側の端縁に整合させてヒートシールした自立可能なスタンディングパウチ形式であってもよい。
【００３０】
前記自立可能なスタンディングパウチ形式のパウチＡの底部のヒートシールによる形成においては、１／２折りした小片の底フィルム１３を、その折目１３ａを頂部封鎖端辺部１の方向に向けて挟み込んだ後、前記底フィルム１３の重ね合わせ内面は（必要に応じて包材１３の重ね合わせ内面側に高融点の熱可塑性樹脂層の形成により）ヒートシールされないようにして、下部封鎖端辺部２側と左右封鎖端辺部３、４側にある胴部フィルム１１、１２端部と底フィルム１３端部との重ね合わせ内面をヒートシールし、最後にヒートシールされていない底フィルム１３の重ね合わせ内面の左右封鎖端辺部３、４側の端部を高温にてヒートシールして、下部封鎖端辺部２の底部が、介在させた前記底フィルム１３を介して、前後の胴部フィルム１１、１２方向に開くように形成して、スタンディングパウチ形式のパウチＡの底部が形成される。
【００３１】
本発明のパウチＡには、図１（ａ）に示すように、頂部封鎖端辺部１よりパウチ内側に平行に開封・封鎖可能なテープ状ファスナー部２１（ファスナー）を備え、頂部封鎖端辺部１を切り裂き、パウチＡを開封するためのノッチ２２と、そのノッチ２２から横方向に伸びる切裂き開封表示線２３が、頂部封鎖端辺部１とファスナー部２１との間に設けられている。なお、ファスナー部２１は、図３に示すごとく、ファスナー部の端部が、封鎖端辺部のうち頂部封鎖端辺部１（袋頂部）と右封鎖端辺部４（一方の側辺部）とにおいて胴部フィルム１１、１２と溶着していてもよい。筒部８の開口端と対向しない位置にファスナー部を配置することができる故、計量部７から計量済の内容物を取り出す際に、収容部６の内容物が筒部８及びファスナー部２１を通過しにくくなる。
【００３２】
本発明のパウチＡにおける筒部８は、仕切シール部５に交差するように設けられるが、図１に示すように、例えば、該筒部８をパウチＡの左封鎖端辺部３に沿わせて密接させて取り付けられても良い。
【００３３】
前記筒部８は、プラスチックフィルムをパイプ状（管状）に丸めて管状に保形された状態で形成されて、熱融着、ヒートシール方式にて取り付けられていてもよいし、予めプラスチック成形された筒部を熱融着、ヒートシール方式にて取り付けるようにしてもよい。
【００３４】
前記筒部８の頂部封鎖端辺部１側の端部８ａは、パウチＡ本体の偏平な形状に整合するように、楕円あるいは偏平の開口形状を備え、該端部８ａの先端は、例えば、計量部７側の仕切シール部５の端縁近傍になるように配置される。かかる構造によれば、計量操作において、倒立から正立に戻す際に、内容物を計量部と収容部に分離することが適切に行うことができる。
【００３５】
図４に示すごとく、前記仕切シール部５は、筒部８から右封鎖端辺部４に向けて頂部封
鎖端辺部１に平行に伸長するように設けても良く（図４（ａ））、右封鎖端辺部４から左封鎖端辺部３に向けて下向き（図４（ｂ））又は上向き（図４（ｃ））に直線形状に傾斜して設けられていてもよいし、下部封鎖端辺部２（袋底部）に向かう湾曲部５ａを有することとしてもよいし（図４（ｄ））、これらの組み合わせであってもよい（たとえば図４（ｅ））。また、前記仕切シール部５は連続線状に限定されず、不連続部５ｂを含むこととしてもよい（図４（ｆ））。仕切シール部５が不連続部５ｂを含むこととすれば、内容物が液体を含む場合（例えば固液体若しくは湿潤性体）において、計量部にて固体と液体とを分離することができる。
【００３６】
本発明のパウチＡは、その頂部封鎖端辺部１（袋頂部）と下部封鎖端辺部２（袋底部）とを逆転させて倒立姿勢にすることにより、収容部６内に充填されている粉体や粒状体等の固形内容物Ｃは、内容物の自重により筒部８を通して落下して、計量部容量分に相当する所定量の固形内容物Ｃが計量部７内に送出される。
【００３７】
その後、パウチＡを正立姿勢にすることにより、計量部７内に送出された計量部容量分に相当する内容物Ｃは、仕切シール部５により受け止められて、収容部６内に戻ることがない。前記内容物ＣはパウチＡが正立姿勢の状態で計量部７内にそのまま保持される。そして、パウチＡの取出し口である頂部封鎖端辺部１を、切り裂き開封表示線２３に沿って切り裂き開封し、ファスナー部２１を開放して、内容物の取出し口であるパウチＡの頂部封鎖端辺部１側を開口し、計量部７内にて計量され保持されている内容物ＣをパウチＡの外側に取り出す。
【００３８】
本発明パウチＡは、パウチＡの姿勢を倒立と正立の１サイクル操作により、収容部６内の内容物Ｃを、筒部８を通して移動させ、一定容量の計量部７内に送出して保持させて、計量、取り出しを行うものである。計量部７に相当するパウチＡの前面又は後面の胴部フィルム１１、１２には、頂部封鎖端辺部１又は仕切シール部５に平行に、目盛り（等間隔ライン）が表示されており、計量部７内に移動送出された内容物Ｃのおおよその容量が目視により計測される。なお、内容物は固形物に限定されるものではなく、液体、固液体等の流動体であっても良い。
【符号の説明】
【００３９】
１…頂部封鎖端辺部（頂辺部）
２…下部封鎖端辺部（底辺部）
３…左封鎖端辺部（他方側辺部）
４…右封鎖端辺部（一方側辺部）
５…仕切シール部
６…収容部（充填部）
７…計量部
８…筒部
１１、１２…胴部フィルム
１３…底フィルム
２１…ファスナー部
２２…ノッチ
２３…切り裂き開封表示線
【図１】
2010189010.tif 000003
【図２】
2010189010.tif 000004
【図３】
2010189010.tif 000005
【図４】
2010189010.tif 000006